(57)【要約】【課題】シート体にしわを残さず固定できると共に、シート体搬送時におけるシート体とクランプ部材との抵抗を小さくすることができるシート体着脱装置を得る。【解決手段】シート体着脱装置７０では、各コイルスプリング９０により各解除ピン８２の反回転ドラム２４側への相対移動が吸収されるため、先に先端チャック３０を押圧する解除ピン８２によって、他の解除ピン８２および昇降部材４２の回転ドラム２４側への接近移動が阻害されることがない。このため、全ての先端チャック３０の後端を完全に回転ドラム２４の外周面から離間移動させることができるため、印刷版１２搬送時の抵抗が低減される。また、各解除ピン８２の段階的に相違した各押圧位置に対応して、各先端チャック３０の押圧が段階的に解除されるため、印刷版１２にしわが残ることを防止できる。【選択図】    図１
2004292071.tif 000002
【特許請求の範囲】
【請求項１】
シート体が巻き付けられる回転ドラムの外周面に前記回転ドラムの軸線方向に沿って複数個並んで設けられ、一端部が前記回転ドラムの外周面に接離移動可能とされると共に前記一端部が常に前記回転ドラム側へ付勢され、前記シート体の端部を前記一端部と前記回転ドラムの外周面との間で挟持して固定するクランプ部材と、
棒状に形成され、前記回転ドラムに接離移動可能とされた昇降部材に設けられ、前記回転ドラムが所定の回転位置で停止された状態で前記各クランプ部材にそれぞれ対向するように配列されると共に、前記昇降部材に対して前記昇降部材の前記移動方向に沿ってそれぞれ相対移動可能とされ、前記昇降部材と共に前記回転ドラムに接近移動することで前記各クランプ部材をそれぞれ押圧して前記各クランプ部材の前記各一端部を前記回転ドラムの外周面から離間移動させる複数個の解除部材と、
前記各クランプ部材の挟持力よりも大きい付勢力を有し、前記各解除部材を前記回転ドラム側へ付勢すると共に、前記各解除部材が前記各クランプ部材を押圧する際の前記各解除部材の前記相対移動を吸収する付勢手段と、
前記各解除部材による前記各クランプ部材の各押圧位置が段階的に相違した状態で前記各解除部材を保持すると共に前記各押圧位置を個別に調節可能とされた保持部材と、
を備えたことを特徴とするシート体着脱装置。
【発明の詳細な説明】
【０００１】
【発明の属する技術分野】
本発明は、回転部材の外周面に搬送されたシート体を、回転部材に固定するシート体着脱装置に関する。
【０００２】
【従来の技術】
支持体上に記録層（感光層）が設けられたシート状の印刷版（例えば、ＰＳ版、サーマルプレート、フォトポリマー版等）を用い、この印刷版の感光層に直接レーザビーム等で画像を記録する技術が開発されてきている（印刷版自動露光装置）。このような技術では、印刷版への迅速な画像記録が可能となっている。
【０００３】
このような印刷版露光装置としては、例えば、円柱状の回転ドラムに印刷版を巻き付けて固定し、回転ドラムを高速回転させた状態で、回転ドラムの近傍に配置された記録ヘッドにより露光処理を行うものがある（例えば、特許文献１参照）。
【０００４】
この特許文献１に開示されている印刷版自動露光装置では、回転ドラムの外周面には、回転ドラムの軸線方向に沿って複数（例えば、１１個）の板状の先端チャックが、回動自在に支持されており、各先端チャックの一側には回転ドラムから離間する方向へ弾性力が付与されている。また、回転ドラムの近傍には先端チャック開閉ユニットが設けられており、この先端チャック着脱ユニットから各先端チャックにそれぞれ対向して突設された複数（例えば、１１個）の解除レバーが、各先端チャックの一側を回転ドラムの外周面に押圧することで、各先端チャックの他側が回転ドラムの外周面から離間する。そして、各先端チャックの他側と回転ドラムの外周面との間に印刷版の先端が搬送される。
【０００５】
各先端チャックの他側と回転ドラムの外周面との間に印刷版の先端が搬送されると、各解除レバーによる各先端チャックの一側の押圧が解除されることで、前記弾性力によって各先端チャックの他側が印刷版の先端を回転ドラムの外周面に押し付けて、回転ドラムの外周面に印刷版の先端が固定される。さらに、回転ドラムが回転されることで回転ドラムの外周面に印刷版が巻き付けられると共に、回転ドラムの外周面に後端チャックを取り付けることで後端チャックによって回転ドラムの外周面に印刷版の後端が固定される。
【０００６】
ところで、先端チャックにより印刷版を固定する際に、複数の先端チャックの押圧を同時に解除すると（複数の先端チャックを同時に閉じると）、印刷版にしわがよる（うねりが出る）場合がある。このため、複数の先端チャックの押圧を所定の順番で解除するように（先端チャックが所定の順番で閉じるように）、各解除レバーの突出長さを所定量ずつ変えたものが知られている。
【０００７】
しかしながら、上記各解除レバーの突出長さを所定量ずつ変えた構成によれば、解除レバーの突出長さに応じて先端チャックの開き量も異なるため、先に閉まる先端チャックほど開き量が小さくなる。このため、先端チャックと回転ドラムの外周面との間に印刷版を挿入する際に抵抗を生じることになる。
【０００８】
しかも、このような印刷版自動露光装置においては、高速回転中の回転ドラムの変形量を小さくするために、先端チャックの小型化が求められており、相対的に先端チャックの開き量も小さくなる。このため、隣合う先端チャックの開き量の差および各解除レバーの突出長さの差も小さくなるため、各部品の寸法ばらつきを小さくしなければ、先端チャックの閉じる順番が狂ってしまうという問題があった。
【０００９】
【特許文献１】
特開２０００−１１２１４２号公報
【００１０】
【発明が解決しようとする課題】
本発明は、上記事実を考慮して、クランプ部材によりシート体を回転ドラムの外周面に固定する際に、シート体にしわを残さず固定できると共に、シート体搬送時におけるシート体とクランプ部材との抵抗を小さくすることができるシート体着脱装置を得ることが目的である。
【００１１】
【課題を解決するための手段】
上記目的を達成するために、請求項１記載の発明に係るシート体着脱装置は、シート体が巻き付けられる回転ドラムの外周面に前記回転ドラムの軸線方向に沿って複数個並んで設けられ、一端部が前記回転ドラムの外周面に接離移動可能とされると共に前記一端部が常に前記回転ドラム側へ付勢され、前記シート体の端部を前記一端部と前記回転ドラムの外周面との間で挟持して固定するクランプ部材と、棒状に形成され、前記回転ドラムに接離移動可能とされた昇降部材に設けられ、前記回転ドラムが所定の回転位置で停止された状態で前記各クランプ部材にそれぞれ対向するように配列されると共に、前記昇降部材に対して前記昇降部材の前記移動方向に沿ってそれぞれ相対移動可能とされ、前記昇降部材と共に前記回転ドラムに接近移動することで前記各クランプ部材をそれぞれ押圧して前記各クランプ部材の前記各一端部を前記回転ドラムの外周面から離間移動させる複数個の解除部材と、前記各クランプ部材の挟持力よりも大きい付勢力を有し、前記各解除部材を前記回転ドラム側へ付勢すると共に、前記各解除部材が前記各クランプ部材を押圧する際の前記各解除部材の前記相対移動を吸収する付勢手段と、前記各解除部材による前記各クランプ部材の各押圧位置が段階的に相違した状態で前記各解除部材を保持すると共に前記各押圧位置を個別に調節可能とされた保持部材と、を備えたことを特徴としている。
【００１２】
請求項１に記載のシート体着脱装置では、回転ドラムに接離移動可能とされた昇降部材に、複数個の棒状の解除部材が設けられている。この各解除部材は、回転ドラムが所定の回転位置で停止された状態において、回転ドラムに設けられた各クランプ部材にそれぞれ対向するように配列されている。
【００１３】
また、この各解除部材は、昇降部材に対して昇降部材の移動方向に沿ってそれぞれ相対移動可能とされると共に、クランプ部材の挟持力よりも大きな付勢力を有する付勢手段によって回転ドラム側へ付勢されている。
【００１４】
さらに、この各解除部材は、各クランプ部材を押圧する各押圧位置を個別に調節可能な保持部材によって、各押圧位置が段階的に相違した状態で保持されている。
【００１５】
ここで、回転ドラムが所定の回転位置で停止された状態で、昇降部材が回転ドラムに接近移動されると、各解除部材によって各クランプ部材が段階的に（所定の順番で）押圧されて、各クランプ部材の一端部が、回転ドラムの外周面から段階的に離間移動する。このとき、付勢手段により各解除部材の反回転ドラム側への相対移動が吸収されるため、先にクランプ部材を押圧する解除部材によって、他の解除部材および昇降部材の、回転ドラムへの接近移動が阻害されることはない。したがって、全てのクランプ部材の一端部を完全に回転ドラムの外周面から離間移動させることができる。
【００１６】
これにより、シート体の端部を各クランプ部材の一端部と回転ドラムの外周面との間に搬送する際に、シート体の端部と各クランプ部材の一端部との間で抵抗が生ずることを防止できる。
【００１７】
一方、シート体の端部が各クランプ部材の他側と回転ドラムの外周面との間に搬送された状態で、昇降部材が回転ドラムから離間移動されると、段階的に相違した各解除部材の各押圧位置に応じて、各クランプ部材の押圧が段階的に（所定の順番で）解除され、シート体の端部がクランプ部材の一端部と回転ドラムの外周面との間に挟持されて固定される。
【００１８】
これにより、シート体の端部を段階的に（所定の順番で）固定することが可能となるため、シート体にしわがよることを防止できる。
【００１９】
また、保持部材を調節することで各押圧位置を自由に設定できるため、各クランプ部材の押圧解除の順番や、各解除部材の押圧位置の差（各解除部材の各クランプ部材に対する相対位置の差）を最適な状態に設定することができる。したがって、各構成部材の寸法誤差による影響が少なくなり、各クランプ部材の押圧解除の順番が狂うことがない。
【００２０】
またさらに、押圧解除時において、各解除部材の相対移動を吸収した付勢手段の付勢力が徐々に開放されつつ、各解除部材による各クリップ部材の押圧が段階的に解除される構成であるため、各解除部材から回転ドラムの周方向に作用する分力が時間的に分散される。（単位時間当たりに作用する分力の最大値が低減される。）
これにより、クランプ部材の押圧を解除する際の回転ドラムの揺れを少なくすることができるため、回転ドラムにシート体を固定する際の位置決め精度を高めることができる。
【００２１】
このように、請求項１記載のシート体着脱装置では、クランプ部材によりシート体を回転ドラムの外周面に固定する際に、シート体にしわを残さず固定できると共に、シート体搬送時におけるシート体とクランプ部材との抵抗を小さくすることができる。
【００２２】
【発明の実施の形態】
図７には、本発明のシート体着脱装置７０が適用されて構成された実施の形態に係る印刷版自動露光装置１０が側面図により示されている。
【００２３】
本実施の形態に係る印刷版自動露光装置１０は、シート体としてのフォトポリプレートやサーマルプレート等の印刷版１２における支持体上の画像形成層（感光層や感熱層等）に画像を露光（記録）するものである。印刷版自動露光装置１０は、搬送ガイドユニット１４とパンチ部１６と露光部１８とに分かれており、搬送ガイドユニット１４の前方にパンチ部１６及び露光部１８とが配置されると共に、パンチ部１６の下方に露光部１８が配置されている。
【００２４】
搬送ガイドユニット１４は、略四角形平板状の給版ガイド２０と、略四角形平板状の排版ガイド２２と、を有しており、給版ガイド２０と排版ガイド２２とは互いの相対関係位置が横Ｖ字型とされている。搬送ガイドユニット１４は、図７の右端部側を中心として所定角度回動する構造となっており、この回動によって、給版ガイド２０や排版ガイド２２を選択的にパンチ部１６や露光部１８に対応させることができる。また、給版ガイド２０上には、印刷版１２が供給される。
【００２５】
ここで、排版ガイドユニット１４が回動されて給版ガイド２０がパンチ部１６に対応（対向）されることで、給版ガイド２０上の印刷版１２の先端がパンチ部１６内に搬送されて、パンチ部１６によって印刷版１２の先端に例えば円孔と長孔等の所定数のパンチ孔（図示省略）が穿孔される。パンチ部１６での処理が終了すると、印刷版１２が給版ガイド２０上へ戻される。
【００２６】
露光部１８は、回転ドラム２４を備えている。回転ドラム２４は円柱状とされると共に中心軸２６を有しており、中心軸２６が互いに対向する一対の支持板２８（図６参照）に支持されることで、図７の矢印Ａ方向及び図７の矢印Ｂ方向へ回転可能とされている。ここで、上述の如くパンチ部１６から給版ガイド２０上へ印刷版１２が戻されると、搬送ガイドユニット１４が回動されて給版ガイド２０が露光部１８に対応される（回転ドラム２４の接線方向に対向される）ことで、回転ドラム２４の外周面上に印刷版１２の先端が搬送される。
【００２７】
回転ドラム２４の外周面には、印刷版１２の先端が搬送される位置において、シート体着脱装置７０の構成部材であるクランプ部材とされる断面く字形状の先端チャック３０が、所定数（本実施の形態では１１個）設けられており、所定数の先端チャック３０は回転ドラム２４の左右方向に沿って配置されている。
【００２８】
図５に示す如く、先端チャック３０の左右方向両側には支持部材３２が配置されており、各支持部材３２は回転ドラム２４の外周面に固定されている。先端チャック３０の後側部位には支持軸３４が固定されており、支持軸３４が各支持部材３２に支持されることで、先端チャック３０が回転ドラム２４に各支持部材３２を介して回転自在に支持されている。これにより、先端チャック３０の後端部３５が、回転ドラム２４の外周面に接離移動可能とされている。
【００２９】
また、先端チャック３０の前側には、回転ドラム２４の外周面から離間される方向へ、図示しない付勢手段により付勢力が付与されており、先端チャック３０の後端部３５は常に回転ドラム２４側へ付勢されている。これにより、先端チャック３０は、後端部３５と回転ドラム２４の外周面との間で印刷版１２の端部を挟持して固定することができる。またさらに、先端チャック３０前側部位の反回転ドラム２４側の面には円形断面形状の押圧凹部３６が形成されている。
【００３０】
図６に示す如く、回転ドラム２４の上方には、円軸状のカム軸３８が設けられており、カム軸３８は一対の支持板２８の間に回転可能に支持されている。カム軸３８の両端近傍には昇降カム４０が固定されており、各昇降カム４０は、円盤状とされて、中心の真上にカム軸３８の中心が配置されている。
【００３１】
カム軸３８の下方には、シート体着脱装置７０の構成部材である昇降部材４２が配置されている。昇降部材４２は、回転ドラム２４の軸線に平行に配置された長尺平板状の後面板７４と、後面板７４の幅方向両端部からそれぞれ前方側へ直角に突出した平板状の上面板７６と下面板７８（図１参照）、さらに、この上面板７６の前方側の端部から、下面板７８側に直角に突出した平板状の前面板８０（図１参照）とを一体に有している。
【００３２】
昇降部材４２の左右方向両端上部には断面Ｕ字状の駆動フレーム４４が固定されており、各駆動フレーム４４の内部には円盤状の駆動盤４６が回転自在に支持されている。各駆動フレーム４４と各支持板２８との間には引張コイルスプリング４８が架け渡されており、各引張コイルスプリング４８の付勢力によって各駆動フレーム４４が上方へ付勢されることで、各駆動盤４６の上端が各昇降カム４０の下端に当接している。
【００３３】
昇降部材４２の左右方向両端には案内板５０が固定される一方、各支持板２８には案内溝５２が設けられており、各案内板５０は各案内溝５２に部分的に嵌入されている。ここで、カム軸３８が回転されて、各昇降カム４０が中心の真下にカム軸３８の中心が配置される回転位置に回転される際には、各引張コイルスプリング４８の付勢力によって各駆動盤４６の上端が各昇降カム４０の下端に当接しつつ昇降部材４２が回転ドラム２４の外周面から離間される。また、この状態からカム軸３８が回転されて、各昇降カム４０が中心の真上にカム軸３８の中心が配置される回転位置に回転される（戻される）際には、各昇降カム４０に各駆動盤４６が押圧されて、各引張コイルスプリング４８の付勢力に抗して各駆動フレーム４４が下降されることで、各案内板５０が各案内溝５２に案内されつつ昇降部材４２が回転ドラム２４の外周面に接近される。これにより、昇降部材４２は回転ドラム２４に接離移動可能とされる。
【００３４】
図６に示す如く、昇降部材４２には、シート体着脱装置７０の構成部材である解除部材とされる円柱棒状の解除ピン８２Ａ乃至８２Ｋ（以下、各解除ピン８２とする）が、各先端チャック３０の数に対応して所定数（本実施の形態では１１個）設けられている。この各解除ピン８２は、それぞれ同寸法に形成されており、回転ドラム２４が所定の回転位置で停止された状態で、各先端チャック３０の各押圧凹部３６にそれぞれ対向するように配列されている。そして、昇降部材４２が回転ドラム２４に接近することで、各解除ピン８２が、それぞれに対向する各押圧凹部３６を押圧するようになっている。
【００３５】
ここで、図４に基づき解除ピン８２Ａについて詳細に説明する。なお、解除ピン８２Ａ乃至８２Ｋは、基本的に同一の構成とされているため、解除ピン８２Ｂ乃至８２Ｋにおける、解除ピン８２Ａと同一の構成・作用については、解除ピン８２Ａと同一の符号を付してその説明を省略する。
【００３６】
図４に示す如く、昇降部材４２の上面板７６には取付プレート８４が固定されており、この取付プレート８４と上面板７６とを共に貫通した貫通孔（図示省略）に、円筒状のブッシュ８６が嵌入されている。また同様に、下面板７８にも、円筒状のブッシュ８６が嵌入されており、解除ピン８２Ａは、この両ブッシュ８６の筒内に挿通されて、昇降部材４２に対して昇降部材４２の移動方向に沿って相対移動可能とされている。また、解除ピン８２Ａは、上端側と下端側とがそれぞれ昇降部材４２から突出している。
【００３７】
解除ピン８２Ａの長手方向中間部には、解除ピン８２Ａの外周から鍔状に突出した鍔部８８が形成されており、この鍔部８８と上面板７６との間には、シート体着脱装置７０の構成部材である付勢手段とされるコイルスプリング９０が設けられている。コイルスプリング９０は、先端チャック３０の挟持力よりも大きい付勢力を有しており、このコイルスプリング９０により解除ピン８２Ａは、回転ドラム２４側へ付勢されている。
【００３８】
また、解除ピン８２Ａの上端部には、解除ピン８２Ａの外周から鍔錠に突出した抜止部９２が形成されている。この抜止部９２とブッシュ８６との間には、シート体着脱装置７０の構成部材である保持部材とされる円筒状のスペーサ９４Ａが設けられており、スペーサ９４Ａの筒内に解除ピン８２Ａが移動可能に挿通されている。そして、このスペーサ９４Ａに抜止部９２が当接することで解除ピン８２Ａの回転ドラム２４側への移動が制限されるようになっている。
【００３９】
ここで、図６に示す如く、各解除ピン８２Ａ乃至８２Ｋの各上端部には、それぞれ各スペーサ９４Ａ乃至９４Ｋ（以下、各スペーサ９４とする）が設けられている。この各スペーサ９４の各厚さ寸法（軸線方向の長さ寸法）は、昇降部材４２の左右方向一側から他側にかけて、所定量ずつ（本実施の形態では、１ミリずつ）段階的に相違されている。（本実施の形態においては、スペーサ９４Ａの厚さ寸法が１１ミリ、スペーサ９４Ｂの厚さ寸法が１０ミリ、スペーサ９４Ｃの厚さ寸法が９ミリ、といったように厚さ寸法が１ミリずつ段階的に減少されている。そして、スペーサ９４Ｋの厚さ寸法が１ミリとされる。）
このため、各解除ピン８２の各下端と、各先端チャック３０との相対距離が、各スペーサ９４の各厚さ寸法に対応して、所定量ずつ（本実施の形態では１ミリずつ）段階的に相違されている。すなわち、各解除ピン８２による、各先端チャック３０の各押圧位置が段階的に相違する構成とされており、この状態で各解除ピン８２は、それぞれ各スペーサ９４により保持されている。（図１参照。なお、図１乃至図３においては、説明の都合上、スペーサ９４Ａ乃至９４Ｄの各厚さ寸法の差を誇張して描いてある。）
また、各スペーサ９４は、交換可能とされており、各スペーサ９４を交換することで各解除ピン８２による各先端チャック３０の各押圧位置を、任意に調節（変更）することができる構成とされている。
【００４０】
ここで、各先端チャック３０の各押圧凹部３６と各解除ピン８２とが対向する位置で回転ドラム２４が停止された状態において、カム軸３８が回転されて昇降部材４２が回転ドラム２４に接近移動されると、各解除ピン８２がそれぞれ各押圧凹部３６に段階的に（本実施の形態においては、解除ピン８２Ｋから順番に）挿入されて、各先端チャック３０の各前側を付勢力に抗して段階的に押圧する。このため、各先端チャック３０の各後端部３５が回転ドラム２４の外周面から段階的に離間移動する（図１乃至図３参照）。
【００４１】
このとき、各コイルスプリング９０により各解除ピン８２の反回転ドラム２４側への相対移動が吸収されるため、先に先端チャック３０を押圧する解除ピン８２によって、他の解除ピン８２および昇降部材４２の回転ドラム２４側への接近移動が阻害されることが防止されるようになっている。
【００４２】
このため、全ての先端チャック３０の各後端部３５を完全に回転ドラム２４の外周面から離間移動させることができる。
【００４３】
これにより、上述の如く給版ガイド２０から回転ドラム２４の外周面に搬送される印刷版１２の先端が各先端チャック３０の後端部３５と回転ドラム２４の外周面との間に搬送され、この状態で上記印刷版１２の位置決めが実施される。
【００４４】
一方、上記印刷版１２の位置決めが終了した後には、カム軸３８が回転されて、昇降部材４２が回転ドラム２４から離間移動される。このため、段階的に相違した各解ピン８２の各押圧位置に対応して、各解除ピン８２が各先端チャック３０の押圧凹部３６から離間して（本実施の形態では、解除ピン８２Ａから順番に離間して）、各解除ピン８２による各先端チャック３０の押圧が段階的に（所定の順番で）解除される。これにより、印刷版１２の先端の略全体が先端チャック３０の後端部３５と回転ドラム２４の外周面との間に挟持されて固定される構成である。
【００４５】
そして、回転ドラム２４が図７の矢印Ａ方向に回転されて、印刷版１２が回転ドラム２４の外周面に巻き付けられる。
【００４６】
図７に示す如く、回転ドラム２４の外周面近傍には、昇降部材４２よりも図７の矢印Ａ方向側において、円柱状のスクイズローラ５５が配設されている。スクイズローラ５５は、回転ドラム２４側へ移動されることで、回転ドラム２４に巻き付けられる印刷版１２を回転ドラム２４へ向けて押圧しつつ回転され、印刷版１２を回転ドラム２４の外周面に密着させる。
【００４７】
また、回転ドラム２４の外周面近傍には、昇降部材４２よりも図７の矢印Ｂ方向側において、後端チャック着脱ユニット５６が配設されている。後端チャック着脱ユニット５６は回転ドラム２４へ向けて移動可能とされている。後端チャック着脱ユニット５６には、板状の後端チャック５７が所定数装着されており、所定数の後端チャック５７は左右方向に沿って配置されている。
【００４８】
ここで、回転ドラム２４に巻き付けた印刷版１２の後端が後端チャック着脱ユニット５６に対向すると、後端チャック着脱ユニット５６が下降されて各後端チャック５７が回転ドラム２４側へ移動されることで、各後端チャック５７が回転ドラム２４の外周面に装着される。これにより、所定数の後端チャック５７の前端が印刷版１２の後端の略全体を回転ドラム２４の外周面に押し付けることで、回転ドラム２４の外周面に印刷版１２の後端が固定される。また、各後端チャック５７が回転ドラム２４の外周面に装着されると同時に後端チャック着脱ユニット５６から各後端チャック５７が離脱され、その後、後端チャック着脱ユニット５６が原点位置へ上昇される。
【００４９】
このように、各先端チャック３０及び各後端チャック５７によって印刷版１２の先端及び後端が回転ドラム２４の外周面に固定されると、スクイズローラ５５が回転ドラム２４から離間された後に、回転ドラム２４が所定の回転速度で高速回転される。
【００５０】
回転ドラム２４の外周面の後方近傍には、記録ヘッド５８が配置されており、記録ヘッド５８は、高速回転される回転ドラム２４に向け、この回転ドラム２４の回転に同期させて、読み込まれた画像データに基づいて変調した光ビームを照射し、これにより、印刷版１２が画像データに基づいて露光される。この露光処理は、回転ドラム２４を高速で回転させながら（主走査）、記録ヘッド５８を回転ドラム２４の軸方向へ移動させる（副走査）、所謂走査露光である。
【００５１】
印刷版１２への露光処理が終了すると、各後端チャック５７が後端チャック着脱ユニット５６に対向する位置で回転ドラム２４が一時停止されて、後端チャック着脱ユニット５６が回転ドラム２４側へ下降されることで、各後端チャック５７の回転ドラム２４外周面への装着が解除されて各後端チャック５７の前端による印刷版１２後端の固定が解除される。また、これと同時に後端チャック着脱ユニット５６に各後端チャック５７が装着され、その後、後端チャック着脱ユニット５６が原点位置へ上昇される。さらに、搬送ガイドユニット１４が回動されて排版ガイド２２が露光部１８に対応された（回転ドラム２４の接線方向に対向された）後、回転ドラム２４が図７の矢印Ｂの方向へ回転されることで、印刷版１２が後端側から排版ガイド２２上へ排出される。
【００５２】
この際、各解除ピン８２が各先端チャック３０に対向する位置で回転ドラム２４が一時停止され、カム軸３８が回転されて、昇降部材４２が回転ドラム２４の外周面に接近される。そして、各解除ピン８２の前記各押圧位置に対応して、各解除ピン８２の下端が各先端チャック３０の押圧凹部３６に段階的に挿入される。このため、各解除ピン８２に各先端チャック３０の前側が段階的に押圧されて各先端チャック３０の後端部３５が回転ドラム２４の外周面から段階的に離間される。これにより、各先端チャック３０の後端部３５による印刷版１２先端の固定が解除される。
【００５３】
印刷版１２が排版ガイド２２へ排出されると、搬送ガイドユニット１４が回動されて、排版ガイド２２から印刷版１２が排出される。これにより、印刷版１２が印刷版自動露光装置１０に隣接する次工程の現像装置または印刷装置（図示省略）へ搬送される構成である。
【００５４】
次に、本発明の実施の形態の作用について説明する。
【００５５】
上記構成の印刷版自動露光装置１０では、印刷版１２が給版ガイド２０に載置されると、搬送ガイドユニット１４が回動されて給版ガイド２０がパンチ部１６に対応されることで、印刷版１２の先端部がパンチ部１６内に搬送される。パンチ部１６内に搬送された印刷版１２は、先端部にパンチ部１６により所定数のパンチが穿孔された後、給版ガイド２０上に戻される。
【００５６】
さらに、搬送ガイドユニット１４が回動されて給版ガイド２０が露光部１８に対応されることで、印刷版１２の先端部が回転ドラム２４の外周面に沿って搬送され、シート体着脱装置７０による印刷版１２の回転ドラム２４への固定が実施される。
【００５７】
ここで、本実施の形態に係るシート体着脱装置７０では、印刷版１２の先端を回転ドラム２４に固定する際には、回転ドラム２４が所定の回転位置（各先端チャック３０の各押圧凹部３６と各解除ピン８２が対向する位置）で停止された状態（図１参照）で、昇降部材４２が回転ドラム２４に接近移動される。そして、各解除ピン８２がそれぞれ各押圧凹部３６に段階的に挿入されて、各先端チャック３０の前側を付勢力に抗して段階的に押圧する。これにより、各先端チャック３０の後端部３５が回転ドラム２４の外周面から離間移動する（図２及び図３参照）。
【００５８】
このとき、各コイルスプリング９０により各解除ピン８２の反回転ドラム２４側への相対移動が吸収されるため、先に先端チャック３０を押圧する解除ピン８２によって、他の解除ピン８２および昇降部材４２の回転ドラム２４側への接近移動が阻害されることが防止されるようになっている。このため、全ての先端チャック３０の後端部３５を完全に回転ドラム２４の外周面から離間移動させることができる。
【００５９】
これにより、印刷版１２の先端部を各先端チャック３０の後端部３５と回転ドラム２４の外周面との間に搬送する際に、印刷版１２の先端部と先端チャック３０の後端部３５との間で抵抗が生じることが防止される。
【００６０】
そして、上述の如く、給版ガイド２０から回転ドラム２４の外周面に搬送される印刷版１２の先端が各先端チャック３０の後端部３５と回転ドラム２４の外周面との間に搬送され、この状態で上記印刷版１２の位置決めが実施される。
【００６１】
一方、上記印刷版１２の位置決めが終了した後には、カム軸３８が回転されて、昇降部材４２が回転ドラム２４から離間移動される。このため、段階的に相違した押圧位置に対応して、各解除ピン８２が各先端チャック３０の押圧凹部３６から段階的に（所定の順番で）離間して、各解除ピン８２による各先端チャック３０の押圧が段階的に解除される。これにより、印刷版１２の先端の略全体が先端チャック３０の後端部３５と回転ドラム２４の外周面との間に段階的に挟持されて固定される。
【００６２】
これにより、印刷版１２の先端部を段階的に（所定の順番で）固定することが可能となるため、印刷版１２にしわがよることを防止できる。
【００６３】
そして、回転ドラム２４が図９の矢印Ａ方向へ回転されて、印刷版１２がスクイズローラ５５により回転ドラム２４の外周面に密着されつつ回転ドラム２４の外周面に巻き付けられる。そして、印刷版１２の後端部が後端チャック５７により回転ドラム２４の外周面に固定される。
【００６４】
回転ドラム２４の外周面への印刷版１２の固定が完了すると、回転ドラム２４が高速回転された状態で、記録ヘッド５８から光ビームが印刷版１２へ照射されることで、露光処理が行われる。
【００６５】
露光処理が終了すると、後端チャック着脱ユニット５６により各後端チャック５７の回転ドラム２４外周面への装着が解除され、印刷版１２が後端側から排出ガイド２２上へ排出される。
【００６６】
この際、各解除ピン８２が各先端チャック３０の押圧凹部３６に対向する位置で回転ドラム２４が一時停止され、昇降部材４２が回転ドラム２４の外周面に接近移動される。そして、各解除ピン８２が各先端チャック３０の前側を付勢力に抗して段階的に押圧することで、先端チャック３０による印刷版１２先端部の固定が解除される。
【００６７】
印刷版１２が排版ガイド２２へ排出されると、搬送ガイドユニット１４が回動されて、排版ガイド２２から印刷版１２が排出される。これにより、印刷版１２が印刷版自動露光装置１０に隣接する次工程の現像装置または印刷装置（図示省略）へ搬送される。
【００６８】
このように、上記構成のシート体着脱装置７０では、先端チャック３０により印刷版１２を回転ドラム２４の外周面に固定する際に、印刷版１２にしわを残さず固定できると共に、印刷版１２搬送時における印刷版１２と先端チャック３０との抵抗を小さくすることができる。
【００６９】
また、各スペーサ９４を調節（交換）することで各解除ピン８２による各押圧位置を自由に設定できるため、各先端チャック３０の押圧解除の順番や、各解除ピン８２の押圧位置の差（各解除ピン８２の各先端チャック３０に対する相対位置の差）を最適な状態に設定することができる。したがって、各構成部材の寸法誤差による影響が少なくなり、各先端チャック３０の押圧解除の順番が狂うことがない。
【００７０】
またさらに、各先端チャック３０の押圧解除時において、各解除ピン８２の相対移動を吸収したコイルスプリング９０の付勢力が徐々に開放されつつ、各解除ピン８２による各先端チャック３０の押圧が段階的に解除される構成であるため、各解除ピン８２から回転ドラム２４の周方向に作用する分力が時間的に分散される。（単位時間当たりに作用する分力の最大値が低減される。）これにより、先端チャック３０の押圧を解除する際の回転ドラム２４の揺れを少なくすることができるため、回転ドラム２４に印刷版１２を固定する際の位置決め精度を高めることができる。
【００７１】
なお、本実施の形態においては、各スペーサ９４の各厚さ寸法（軸線方向の長さ寸法）が、昇降部材４２の左右方向一側から他側にかけて、段階的に相違する構成とされているが、これに限定されるものではない。
【００７２】
【発明の効果】
以上説明したように、本発明ののシート体着脱装置では、クランプ部材によりシート体を回転ドラムの外周面に固定する際に、シート体にしわを残さず固定できると共に、シート体搬送時におけるシート体とクランプ部材との抵抗を小さくすることができる。
【図面の簡単な説明】
【図１】本発明の実施の形態に係るシート体着脱装置の主要部の構成を示し、昇降部材が回転ドラムから離間した状態を印刷版自動露光装置の前方側から示した正面図である。
【図２】本発明の実施の形態に係るシート体着脱装置の主要部の構成を示し、昇降部材が回転ドラムに接近した状態を印刷版自動露光装置の前方側から示した正面図である。
【図３】本発明の実施の形態に係るシート体着脱装置の主要部の構成を示し、昇降部材が回転ドラムに接近した状態を印刷版自動露光装置の後方側から示した正面図である。
【図４】本発明の実施の形態に係るシート体着脱装置の構成部材である解除ピンを含む周辺の構成を示す斜視図である。
【図５】本発明の実施の形態に係るシート体着脱装置の構成部材である先端チャックを含む周辺の構成を示す斜視図である。
【図６】本発明の実施の形態に係る印刷版自動露光装置における露光部の主要部を示す概略的な斜視図である。
【図７】本発明の実施の形態に係る印刷版自動露光装置を示す概略的な側面図である。
【符号の説明】
１０          印刷版自動露光装置
１２            印刷版（シート体）
２４            回転ドラム
３０            先端チャック（クランプ部材）
４２            昇降部材
８２            解除ピン（解除部材）
９０            コイルスプリング（付勢手段）
９４            スペーサ（保持部材）
【図１】
2004292071.tif 000003
【図２】
2004292071.tif 000004
【図３】
2004292071.tif 000005
【図４】
2004292071.tif 000006
【図５】
2004292071.tif 000007
【図６】
2004292071.tif 000008
【図７】
2004292071.tif 000009